(57)【要約】【課題】操作部材に操作を戻す方向の操作力がかけられることにより操作部材の取り付けられている構造体が作動操作される構成において、構造体の作動操作性を向上させる。【解決手段】操作レバー５（操作部材）にこれを倒し込んだ位置から操作を戻す方向の操作力をかけることにより、操作レバー５の取り付けられているシート本体１（構造体）が車体天井Ｃ下の格納位置まで格納操作される操作構造である。操作レバー５の操作構造には、操作レバー５の戻し操作を阻止可能な戻し阻止機構３０が設けられている。シート本体１の格納操作は、戻し阻止機構３０によって倒し込まれた操作位置に保持された操作レバー５に操作を戻す方向の操作力をかけることで行われる。【選択図】図１
2010006168.tif 000002
【特許請求の範囲】
【請求項１】
操作部材に操作を戻す方向の操作力がかけられることにより該操作部材の取り付けられている構造体が作動操作される車両用シートの作動操作構造であって、
前記操作部材の操作構造には該操作部材の戻し操作を阻止可能な戻し阻止機構が設けられており、前記構造体の作動操作は前記戻し阻止機構によって操作位置に保持された操作部材に戻し方向の操作力がかけられることで行われるようになっていることを特徴とする車両用シートの作動操作構造。
【請求項２】
請求項１に記載の車両用シートの作動操作構造であって、
前記操作部材はその倒し込み回転操作によって倒し込み操作位置まで回転操作されることによりシート本体のフロアに対する固定状態を解除する操作構造となっており、該倒し込み操作位置にある操作部材に倒し込み操作位置から戻す方向の操作力をかけることにより該操作部材が前記戻し阻止機構によって倒し込み操作位置に保持された状態で前記シート本体が同操作力のかけられた方向に移動操作されるようになっていることを特徴とする車両用シートの作動操作構造。
【請求項３】
請求項２に記載の車両用シートの作動操作構造であって、
前記操作部材はその上部箇所に設定された把持部に手を掛けて倒し込み回転操作をするように構成されており、該把持部にかけた手の届く該把持部に近接した位置には前記戻し阻止機構の戻し阻止状態を解除操作することのできる押し下げ操作式の解除部が設けられていることを特徴とする車両用シートの作動操作構造。
【請求項４】
請求項１から請求項３のいずれかに記載の車両用シートの作動操作構造であって、
前記戻し阻止機構は出し入れ操作式の突出ピンの突出させた側面部に前記操作部材の構成部材を戻し操作方向に当接させて移動操作を阻止する構造となっており、該突出ピンの突出による当接構造により前記操作部材の操作前位置における操作方向への移動操作も阻止できるようになっていることを特徴とする車両用シートの作動操作構造。
【発明の詳細な説明】
【技術分野】
【０００１】
本発明は、車両用シートの作動操作構造に関する。詳しくは、操作部材に操作を戻す方向の操作力がかけられることにより、この操作部材の取り付けられている構造体が作動操作される車両用シートの作動操作構造に関する。
【背景技術】
【０００２】
従来、車両用シートにおいて、操作レバーの操作によってシート本体を前後方向にスライドさせるなどの作動操作を行えるようになっている構造が知られている。ここで、下記特許文献１には、操作レバーの操作によって、シート本体のスライドロック状態を解除してシート本体をスライド可能な状態にすることができる構造が開示されている。この開示では、操作レバーがシートバックの肩口に設けられており、これを前倒しする操作によってシート本体のスライドロック状態が解除されるようになっている。そして、上述した前倒し操作された操作レバーにそのまま前方側への操作力をかけることにより、その操作力をかけた前方側にシート本体をスライド操作することができる。
【０００３】
【特許文献１】特開２００５−２２５５０号公報
【発明の開示】
【発明が解決しようとする課題】
【０００４】
しかし、上記開示の従来技術では、シート本体を後方側にスライド操作する際には、操作レバーが戻し方向に操作されないようにこれを前倒しした位置に保持しながら操作を行わなければならず、シート本体のスライド操作性が悪くなってしまうことがある。
【０００５】
本発明は、上記した問題を解決するものとして創案されたものであって、本発明が解決しようとする課題は、操作部材に操作を戻す方向の操作力がかけられることにより操作部材の取り付けられている構造体が作動操作される構成において、構造体の作動操作性を向上させることにある。
【課題を解決するための手段】
【０００６】
上記課題を解決するために、本発明の車両用シートの作動操作構造は次の手段をとる。先ず、第１の発明は、操作部材に操作を戻す方向の操作力がかけられることにより、この操作部材の取り付けられている構造体が作動操作される車両用シートの作動操作構造である。操作部材の操作構造には、操作部材の戻し操作を阻止可能な戻し阻止機構が設けられている。構造体の作動操作は、戻し阻止機構によって操作位置に保持された操作部材に戻し方向の操作力がかけられることで行われるようになっている。
【０００７】
この第１の発明によれば、操作部材の取り付けられている構造体は、操作部材に操作位置から戻される方向の操作力がかけられることで作動操作される。このとき、操作部材にかけられる戻し方向の操作力は、操作部材が戻し阻止機構によって戻し操作が阻止された状態で行われる。したがって、操作部材をばたつかせることなく操作部材に戻し方向の操作力をかけることができるため、構造体の作動操作性を向上させることができる。
【０００８】
次に、第２の発明は、上述した第１の発明において、操作部材は、その倒し込み回転操作によって倒し込み操作位置まで回転操作されることによりシート本体のフロアに対する固定状態を解除する操作構造となっている。そして、この倒し込み操作位置にある操作部材に倒し込み操作位置から戻す方向の操作力をかけることにより、操作部材が戻し阻止機構によって倒し込み操作位置に保持された状態で、シート本体が同操作力のかけられた方向に移動操作される。
【０００９】
この第２の発明によれば、戻し阻止機構によって倒し込み操作位置に保持された操作部材に戻し方向の操作力がかけられることにより、シート本体がこの操作力のかけられた方向に移動操作される。このシート本体の移動操作は、定位置に保持された操作部材に操作力がかけられて行われるため、シート本体の移動操作を操作性良くスムーズに行うことができる。
【００１０】
次に、第３の発明は、上述した第２の発明において、操作部材は、その上部箇所に設定された把持部に手を掛けて倒し込み回転操作をするように構成されている。把持部にかけた手の届く把持部に近接した位置には、戻し阻止機構の戻し阻止状態を解除操作することのできる押し下げ操作式の解除部が設けられている。
【００１１】
この第３の発明によれば、解除部の操作方向を操作部材の倒し込み回転操作方向に向けて設定したことにより、把持部にかけた手で解除部の操作を簡便に行うことができる。
【００１２】
次に、第４の発明は、上述した第１から第３のいずれかの発明において、戻し阻止機構は、出し入れ操作式の突出ピンの突出させた側面部に操作部材の構成部材を戻し操作方向に当接させて移動操作を阻止する構造となっている。この突出ピンの突出による当接構造により、操作部材の操作前位置における操作方向への移動操作も阻止できるようになっている。
【００１３】
この第４の発明によれば、戻し阻止機構は、出し入れ操作式の突出ピンの側面部に操作部材の構成部材を当接させて移動操作を阻止する構成として比較的簡素に構成される。そして、この突出ピンによる移動阻止構造が、操作部材の操作前位置における操作方向への移動も阻止するように構成が兼ねられていることにより、かかる構成全体を合理化して簡素に構成することができる。
【発明を実施するための最良の形態】
【００１４】
以下に、本発明を実施するための最良の形態の実施例について図面を用いて説明する。
【実施例１】
【００１５】
始めに、実施例１の車両用シートの作動操作構造について、図１〜図１４を用いて説明する。ここで、図１には、本実施例の車両用シートの概略構成が示されている。この車両用シートは、車両の後部側座席として配設されており、着座部となるシート本体１をフロアＦ上の使用位置から車体天井Ｃ下の格納位置まで持ち上げて格納できるように構成されている。
【００１６】
このシート本体１は、背凭れとなるシートバック２と、着座部となるシートクッション３と、頭受けとなるヘッドレスト４と、を有する。ここで、シートクッション３は、その後端部が、シートバック２に対して起倒回転可能にヒンジ連結されている。そして、シートクッション３は、常時はこのヒンジ連結部に設けられた図示しない附勢ばねの附勢力によって、シートバック２の前面部に向けて起こし上げられる回転方向に附勢されている。
【００１７】
しかし、上記したシートクッション３は、常時はその底面部に設けられたクッションロック装置９がフロアＦ上のストライカＳ１に係合ロックされることにより、フロアＦ上に倒し込まれた姿勢に保持されている。一方、シートバック２は、常時はその背面部に設けられたフロアロック装置７がフロアＦと一体的に設けられたストライカＳ２に係合ロックされることにより、フロアＦに対して起立した姿勢に保持されている。
【００１８】
これにより、シート本体１は、常時はシートバック２やシートクッション３がフロアＦに係合ロックされた状態として、着座使用可能な姿勢状態に保持されている。なお、シートバック２の下端部には、シート本体１を格納移動させた際に、車体天井Ｃ下に設けられたストライカＳ３と係合ロックすることのできる天井ロック装置８が設けられている。これら各ロック装置７〜９（フロアロック装置７、天井ロック装置８及びクッションロック装置９）は、シートバック２やシートクッション３の左右両サイドに設けられて左右一対で構成されている。
【００１９】
そして、各ロック装置７〜９は、シートバック２の背面部に設けられた板状の操作レバー５を後方側に倒し込む操作を行うことにより、それらのロック状態が一斉に解除操作される。これにより、シートクッション３が附勢によってシートバック２の前面部位置まで起こし上げられると共に、シートバック２がフロアＦとの係合ロック状態から外されて、シート本体１が格納移動可能な状態となる。ここで、操作レバー５が本発明の操作部材に相当し、シート本体１が本発明の操作部材の取り付けられている構造体に相当する。
【００２０】
ここで、シート本体１は、シートバック２の両肩口に一体的に連結された連結アーム６によって、車体天井Ｃに対して回転可能にリンク連結されている。これにより、シート本体１は、上述したフロアＦとの係合ロック状態が解除されることにより、連結アーム６と車体天井Ｃとのヒンジ連結部を中心に、フロアＦ上の使用位置から車体天井Ｃ下の格納位置まで起こし上げられるようになっている。
【００２１】
なお、図示は省略されているが、上述した連結アーム６と車体天井Ｃとの間には、シート本体１を格納移動させる方向に附勢する附勢ばねが設けられている。更に、連結アーム６と車体側部との間には、シート本体１の回転運動に弾みが付き過ぎないように回転速度を抑制するダンパー６ｄが設けられている。これにより、シート本体１を上述した使用位置と格納位置との間で回転させる移動操作が、上述した附勢ばねやダンパー６ｄの作用によってアシストされるようになっている。
【００２２】
ところで、上述した操作レバー５は、図２に示されるように、その下端部が連結軸５ｄによってシートバック２の背面部に回転可能にヒンジ連結されており、常時はシートバック２の背面側の凹部内に収容された状態でロックされて保持されている。ここで、図４に示されるように、操作レバー５の上端側近傍の面部には、開口部が形成されており、この開口部の形成によって、操作レバー５の上端部には、操作者Ｐが手を掛けて把持することのできる把持部５ａが形成されている。
【００２３】
これにより、図１に示されるように、操作者Ｐが車両の後方側に立った位置から操作レバー５の把持部５ａに容易に手を掛けて、操作レバー５を後方側に引き込んで倒し込む操作を容易に行えるようになっている。この操作レバー５の後方側への倒し込み回転は、図２及び図５に示されるように、操作レバー５の下端部に形成された係止部５ｔが、シートバック２の骨格をなすバックフレーム２ｆに形成されたストッパ２ｔと当接する位置で止められるようになっている。
【００２４】
そして、本実施例では、操作レバー５が上述した操作位置まで倒し込まれることにより、この操作位置から回転操作を戻す方向の動きが阻止されるようになっている。これにより、操作レバー５は、正逆双方向の回転操作が阻止された状態となって保持される。したがって、この倒し込み操作された操作レバー５に、今度はその操作を戻す方向（起こし上げる方向）の操作力をかけることにより、シート本体１が同方向に押し動かされて車体天井Ｃ下の格納位置まで起こし上げられる。
【００２５】
ここで、操作レバー５とシートバック２との間には、操作レバー５の開閉操作に追従してスライド運動するスライドアーム５ｂが連結されている。ここで、スライドアーム５ｂが本発明の操作部材の構成部材に相当する。このスライドアーム５ｂは、図６に示されるように、その一端が連結軸３１ｐによって操作レバー５に回転可能にヒンジ連結されており、他端が連結軸ｂｐによってバックフレーム２ｆの背面部に設置されたスライドレール２ｒにスライド可能に組み付けられたスライド駒ｂａに対して回転可能にヒンジ連結されている。
【００２６】
上記したスライドレール２ｒは、図３に示されるように、ブラケット２ｂを介してバックフレーム２ｆに一体的に接合固定されて設けられている。そして、このスライドレール２ｒには、そのレールの延びる方向（シートバック２の高さ方向）に沿ってスライド駒ｂａがスライド可能な状態に嵌め込まれており、このスライド駒ｂａから突出して設けられた連結軸ｂｐによって、スライドアーム５ｂの他端がスライド駒ｂａに回転可能にヒンジ連結されている。
【００２７】
上記構成のスライドアーム５ｂは、操作レバー５の開閉操作に伴って、スライド駒ｂａをスライドレール２ｒのレール形状に沿ってスライドさせながら、各端部を連結軸３１ｐ，ｂｐを中心に回転運動させる。したがって、操作レバー５は、上述したスライドアーム５ｂのスライドを伴った回転運動によって、シートバック２に対する開閉操作が許容されるようになっている。次に、前述した操作レバー５の戻し操作を阻止する戻し阻止機構３０の構成について説明する。
【００２８】
この戻し阻止機構３０は、図６に示されるように、前述したスライドアーム５ｂと操作レバー５との連結部に設けられており、スライドアーム５ｂの連結軸３１ｐを中心とした回転を阻止することで操作レバー５の戻し操作を阻止する構成となっている。具体的には、図７に示されるように、戻し阻止機構３０は、操作レバー５の内板側の面部に固定設置された基板３１と、この基板３１に連結軸３２ａによって回転可能にヒンジ連結されたＬ字アーム３２と、Ｌ字アーム３２に連結された従動アーム３３と、Ｌ字アーム３２を回転附勢する引張ばね３４と、Ｌ字アーム３２を回転操作する操作ワイヤ３５とを有する。ここで、操作ワイヤ３５が本発明の解除部に相当する。
【００２９】
詳しくは、引張ばね３４は、Ｌ字アーム３２と基板３１との間に掛着されており、常時はＬ字アーム３２を連結軸３２ａを中心に図示反時計回り方向に回転附勢している。また、従動アーム３３は、基板３１に形成されたガイド３１ｇに嵌め込まれて設けられており、ガイド３１ｇの挟持形状に沿った方向にのみスライド可能とされている。そして、従動アーム３３は、その突出形成された係合ピン３３ａが、Ｌ字アーム３２に形成された長孔３２ｈ内にスライド可能に嵌め込まれており、この嵌め込み部からＬ字アーム３２が回転する動きを受けることによりガイド３１ｇの形状に沿ってスライド操作されるようになっている。
【００３０】
そして、図８に示されるように、従動アーム３３には、そのスライド運動に伴って、基板３１に立ち並んで形成された二枚の起立板３１ａの孔部に対して抜き差しされる突出ピン３３ｐが一体的に形成されている。この突出ピン３３ｐは、図７に示されるように、Ｌ字アーム３２が引張ばね３４の附勢力によって初期の回転位置に保持された状態では、起立板３１ａの孔部内に差し込まれた状態として保持されている。そして、突出ピン３３ｐは、図８に示されるように、Ｌ字アーム３２が上記の附勢に抗して図示時計回り方向に回転操作されることにより、起立板３１ａの孔部から引き抜かれるようになっている。
【００３１】
ここで、上述した二枚の起立板３１ａの板間には、スライドアーム５ｂの一端が配設されて連結軸３１ｐによって回転可能にヒンジ連結されている。このスライドアーム５ｂは、図８に示されるように、突出ピン３３ｐが起立板３１ａの孔部から引き抜かれた状態では、連結軸３１ｐを中心に回転できるようになっている。しかし、図７に示されるように、スライドアーム５ｂは、突出ピン３３ｐが起立板３１ａの孔部内に差し込まれた状態では、突出ピン３３ｐとの当接によってその回転移動が阻止されるようになっている。
【００３２】
これにより、スライドアーム５ｂは、図６に示されるように、操作レバー５がシートバック２の背面部に収納された時の操作前位置（仮想線位置）と、操作レバー５がシートバック２の後方側に倒し込まれた時の操作位置（実線位置）とにおいて、それぞれ、突出ピン３３ｐの側面部との当接によってその回転移動が阻止されるようになっている。そして、このスライドアーム５ｂの回転止め状態は、突出ピン３３ｐを起立板３１ａの孔部から引き抜く操作によって解除されるようになっている。
【００３３】
この突出ピン３３ｐを引き抜く操作は、図８に示されるように、Ｌ字アーム３２に連結された操作ワイヤ３５をプッシュ操作して、Ｌ字アーム３２を図示時計回り方向に回転させる操作によって行われる。ここで、操作ワイヤ３５は、撓み変形量の少ない剛体のワイヤ部材によって形成されており、図示された一端（下端）がＬ字アーム３２にピン連結されている。そして、図４に示されるように、操作ワイヤ３５の上端は、前述した操作レバー５の図示上端側近傍の開口部の右側部に形成された上下方向に延びる長孔５ｈ内に折り曲げられて差し込まれている。
【００３４】
これにより、操作ワイヤ３５の上端は、その先端部が操作レバー５の後方側に突出した状態（図５参照）とされており、常時は前述したＬ字アーム３２にかかる引張ばね３４の附勢力によって、長孔５ｈの上端部に保持されている。したがって、上記のように設けられた操作ワイヤ３５は、操作者Ｐの手が掛けられる把持部５ａに近接した位置に配置されるため、把持部５ａを掴んだ手の親指などを届かせて、これを下方側に押し下げる操作を簡単に行えるようになっている。そして、操作ワイヤ３５の上端が下方側に押し下げられることにより、図８において前述したように突出ピン３３ｐが引き抜き操作されて、スライドアーム５ｂの回転止め状態が解除される。
【００３５】
ここで、図６に示されるように、スライドアーム５ｂは、操作レバー５が倒し込み操作された図示実線の回転位置と操作前の図示仮想線の回転位置との間で、各回転位置から少しでも回転操作されると、突出ピン３３ｐが突出する移動軌跡上に位置して、突出ピン３３ｐの突出移動を阻止するようになっている。したがって、操作レバー５が上記した各回転位置から少しでも操作方向或いは操作を戻す方向に回転操作されたら、あとは操作ワイヤ３５の押し下げ操作をやめても、操作レバー５の開閉操作を継続して行うことができる。
【００３６】
ところで、図１に戻って、前述した各ロック装置７〜９は、各ストライカＳ１〜Ｓ３との係合ロックから外された状態時には、シート本体１がフロアＦや車体天井Ｃに押し付けられる動きによって、各ストライカＳ１〜Ｓ３とそれぞれ係合ロックすることのできるロック可能状態となっている。そして、各ロック装置７〜９は、上述した操作レバー５をシートバック２の後方側に倒し込む解除操作を行うことによって、各ストライカＳ１〜Ｓ３に対する係合ロック状態が一斉に解除操作されるようになっている。
【００３７】
ここで、各ロック装置７〜９のうち、フロアロック装置７及び天井ロック装置８は、操作レバー５によるロック解除の操作が、シートバック２内に設けられた切換機構２０を介して行われるようになっている。この切換機構２０は、図９に示されるように、操作レバー５に繋がれて牽引操作される操作ケーブル５ｃと、フロアロック装置７に繋がれた解除ケーブル７ｃ及び天井ロック装置８に繋がれた解除ケーブル８ｃと、をそれぞれ操作力伝達可能に連結したり伝達不能に遮断したりすることのできる構成となっている。
【００３８】
具体的には、切換機構２０は、シートバック２の骨格に固定設置されたベース板２１と、このベース板２１に軸支連結された第１アーム２２及び第２アーム２３と、によって構成されている。ここで、第１アーム２２は、支軸２２ａによってベース板２１に回転可能に軸支連結されている。そして、第１アーム２２は、常時は図示しない附勢ばねの附勢力を受けて、図示反時計回りに回転附勢された状態として、ベース板２１から切り起こされたストッパ２１ａと当接する初期位置の姿勢状態に保持されている。そして、この第１アーム２２の図示左側の腕部には、操作ケーブル５ｃの下端部が連結されている。
【００３９】
一方、第２アーム２３は、支軸２３ａによってベース板２１に回転可能に軸支連結されている。そして、第２アーム２３は、常時は図示しない附勢ばねの附勢力を受けて、同図に示された初期位置の姿勢状態に保持されている。そして、この第２アーム２３の図示下側の腕部には、前述した各解除ケーブル７ｃ，８ｃの右側端部が連結されている。そして、この第２アーム２３には、第１アーム２２の回転軌跡内に張り出す位置に係合ピン２３ｂが設けられている。
【００４０】
上記構成の切換機構２０は、操作レバー５が解除操作される前の常時は、各解除ケーブル７ｃ，８ｃを図示された初期位置の状態に保持している。そして、操作レバー５が解除操作されて操作ケーブル５ｃが図示上方側に牽引操作されることにより、第１アーム２２が時計回りに回転操作される。これにより、図１０の仮想線状態で示されるように、第１アーム２２が第２アーム２３の係合ピン２３ｂと当接し、これを押し回すことで、第２アーム２３が反時計回りに回転操作されて両解除ケーブル７ｃ，８ｃが一斉に牽引操作される。
【００４１】
しかし、この後、操作レバー５の解除操作の進行によって操作ケーブル５ｃが更に牽引操作されると、同図の実線で示されるように、第１アーム２２が係合ピン２３ｂとの当接状態から外される。これにより、第２アーム２３が前述した附勢ばね（図示省略）の附勢力によって時計回りに初期位置まで戻されて、両解除ケーブル７ｃ，８ｃの牽引操作状態が解除される。
【００４２】
すなわち、切換機構２０は、操作レバー５の解除操作の進行に伴って、一旦牽引操作した両解除ケーブル７ｃ，８ｃの牽引操作状態が解除される構成となっている。これにより、操作レバー５に繋がれた操作ケーブル５ｃと各解除ケーブル７ｃ，８ｃとが、操作レバー５の解除操作の進行に伴って、互いに操作力伝達可能に連結されたり伝達不能に遮断されたりするようになっている。
【００４３】
なお、切換機構２０は、操作レバー５の解除操作をやめることにより、第１アーム２２が附勢ばね（図示省略）の附勢力によって初期位置に戻されることで初期状態に戻される。このとき、第１アーム２２が初期位置に戻される途中で、第１アーム２２が係合ピン２３ｂと当接した状態となるが、この当接状態は、第２アーム２３が図示時計回りに押動されて回避回転することによって外されるようになっている。
【００４４】
次に、前述した各ロック装置７〜９の構成について図１１〜図１２を用いて説明する。なお、各ロック装置７〜９は、実質的には互いに同じロック構造１０を備えているため、以下ではこれらのロック構造１０についてまとめて説明することとする。
【００４５】
すなわち、図１１に示されるように、各ロック装置７〜９は、シートバック２或いはシートクッション３の骨格部に固定設置されたベース板１１と、このベース板１１に対して回転可能に軸支連結されたラッチ１２及びポール１３と、このラッチ１２とポール１３との間に掛着された引張ばね１４と、解除ケーブル１５（解除ケーブル７ｃ，８ｃ，９ｃ）と、によって構成されている。これらロック装置７〜９は、ストライカ１６（ストライカＳ１〜Ｓ３）がベース板１１に形成された受入口１１ａの内部に押し込まれることによって、このストライカ１６にラッチ１２を係合ロックさせる構成となっている。
【００４６】
詳しくは、ラッチ１２は、支軸１２ｅによってベース板１１に回転可能に軸支連結されている。そして、ラッチ１２は、常時はその掛部１２ｃとポール１３の掛部１３ｃとの間に掛着された引張ばね１４の附勢力を受けて、図示反時計回りに回転附勢された状態として、ベース板１１に形成されたストッパ１１ｂと当接した初期位置の姿勢状態に保持されている。
【００４７】
このラッチ１２には、その初期位置の姿勢状態時に、ベース板１１に形成された受入口１１ａの口内に張り出す上顎１２ａと、ラッチ１２が初期位置から時計回りに回転した際に、受入口１１ａを塞ぐように移動する下顎１２ｂと、が形成されている。そして更に、ラッチ１２には、これが初期位置から時計回りに回転した際に、ポール１３に形成された爪部１３ｂと係止し合う角部１２ｄが形成されている。
【００４８】
一方、ポール１３は、支軸１３ｅによってベース板１１に回転可能に軸支連結されている。そして、ポール１３は、常時は前述したラッチ１２との間に掛着された引張ばね１４の附勢力を受けて、図示時計回りに回転附勢された状態として、ラッチ１２の角部１２ｄに押し当てられた初期位置の姿勢状態に保持されている。このポール１３には、解除ケーブル１５の右側端部と連結されて作動操作される操作腕１３ａと、ラッチ１２が初期位置から時計回りに回転した際に、その角部１２ｄと係止し合う爪部１３ｂと、が形成されている。
【００４９】
上記構成の各ロック装置７〜９は、ストライカ１６（ストライカＳ１〜Ｓ３）がベース板１１の受入口１１ａの内部に押し込まれる動きによって、この口内に上顎１２ａを露出させているラッチ１２が時計回りに押し動かされる。これにより、図１２に示されるように、ラッチ１２が、引張ばね１４の附勢力によって、その角部１２ｄにポール１３の爪部１３ｂが引き寄せられて互いに係止し合った状態となってその回転がロックされる。
【００５０】
そして、この時計回りの回転に伴って、下顎１２ｂがストライカ１６の背後に回り込むかたちで移動して、受入口１１ａを塞ぎ込む。これにより、ストライカ１６が受入口１１ａの内部において、ラッチ１２によって係合ロックされた状態として保持される。すなわち、上記構成のロック構造１０は、解除ケーブル１５の牽引操作が行われる前の状態では、これをストライカ１６に押し込む操作によって互いに係合ロックすることのできるロック可能状態となっている。
【００５１】
そして、このストライカ１６の係合ロック状態は、解除ケーブル１５（解除ケーブル７ｃ，８ｃ，９ｃ）を牽引操作することによって解除することができる。具体的には、図１１に示されるように、解除ケーブル１５を牽引操作することにより、操作腕１３ａが操作されてポール１３が反時計回りに回転操作される。これにより、ポール１３の爪部１３ｂとラッチ１２の角部１２ｄとの係止状態が外れて、ラッチ１２が引張ばね１４の附勢力によって反時計回りに回転する。
【００５２】
これにより、ストライカ１６がラッチ１２の上顎１２ａによって押し出される格好で受入口１１ａから吐き出され、両者の係合ロック状態が解除される。そして、解除ケーブル１５の牽引操作が解除されることにより、ポール１３が再びラッチ１２の角部１２ｄに押し当てられた状態となり、各ロック装置７〜９は再びストライカ１６と係合ロックすることのできるロック可能状態に戻される。
【００５３】
しかし、各ロック装置７〜９は、解除ケーブル１５の牽引操作が継続された状態では、ストライカ１６が受入口１１ａの内部に押し込まれてラッチ１２が時計回りに回転しても、ポール１３の動きが留められているためにこのポール１３との係止は行われない。したがって、この状態では、ロック構造１０は、これをストライカ１６に押し込む操作を行っても互いに係合ロックすることのないロック不能状態とされている。
【００５４】
ここで、図９において前述したように、フロアロック装置７の解除ケーブル７ｃと天井ロック装置８の解除ケーブル８ｃは、操作レバー５の解除操作を行うことにより、一旦牽引操作された後、切換機構２０によってその解除操作状態が解かれる。したがって、フロアロック装置７及び天井ロック装置８は、操作レバー５の解除操作状態を継続した状態であっても、ロック状態が解除操作された後に再びロック可能状態に戻される。
【００５５】
なお、図１において前述したクッションロック装置９の解除ケーブル９ｃ（図１１参照）は、図示は省略されているが、操作レバー５或いは操作ケーブル５ｃと直結されている。これにより、クッションロック装置９は、操作レバー５の解除操作状態が解かれることによって、ロック可能状態に戻されるようになっている。
【００５６】
したがって、シート本体１を格納操作する場合には、操作レバー５の倒し込み操作を行って、操作レバー５が倒し込まれた操作位置に固定されたら、次に操作レバー５を操作を戻す方向（前方）に押して、シート本体１を車体天井Ｃ下に押し付けるように操作すればよい。これにより、図１３に示されるように、天井ロック装置８が車体天井Ｃ下のストライカＳ３に押し付けられて係合ロックするため、シート本体１が車体天井Ｃ下の格納位置に係合ロックされた状態となって保持される。
【００５７】
そしてその後に、図５において前述した操作ワイヤ３５の押し下げ操作を行って、操作レバー５を操作前の位置に戻すことにより、操作レバー５が操作前の位置に戻された状態で保持される。次に、シート本体１を格納位置からフロアＦ上の使用位置に戻す場合には、前述した格納操作時と同じく、操作レバー５をシートバック２の後方側に倒し込む操作を行えばよい。これにより、操作レバー５が倒し込まれた操作位置に固定されるため、これを更に手前に引き込むように操作することで、シート本体１をフロアＦ上に落とし込んでいくことができる。
【００５８】
そしてこれにより、図１４に示されるように、フロアロック装置７がフロアＦ上のストライカＳ２に押し付けられて係合ロックするため、シート本体１がフロアＦ上の使用位置に戻されて保持される。そしてその後に、図５において前述した操作ワイヤ３５の押し下げ操作を行って、操作レバー５を操作前の位置に戻すことにより、操作レバー５が操作前の位置に戻された状態で保持される。そして次に、シートクッション３をフロアＦ上に倒し込むことにより、クッションロック装置９がフロアＦ上のストライカＳ１に押し付けられて係合ロックするため、シート本体１を元の着座使用可能な姿勢状態に戻すことができる。
【００５９】
このように、本実施例の車両用シートの作動操作構造によれば、操作レバー５の取り付けられているシート本体１は、操作レバー５を後方側に倒し込んだ操作位置から操作を戻す方向に操作力をかけることによって格納操作される。このとき、操作レバー５にかけられる戻し方向の操作力は、操作レバー５が戻し阻止機構３０によって戻し操作が阻止された状態で行われる。したがって、操作レバー５をばたつかせることなく操作レバー５に操作力をかけることができるため、シート本体１の作動操作性を向上させることができる。
【００６０】
また、操作ワイヤ３５の操作方向を操作レバー５の倒し込み回転操作方向に向けた押し下げ方向に設定したことにより、把持部５ａにかけた手で操作ワイヤ３５の操作を簡便に行うことができる。また、戻し阻止機構３０は、出し入れ操作式の突出ピン３３ｐの側面部に、操作レバー５の構成部材であるスライドアーム５ｂを当接させて、その移動操作を阻止する構成として、比較的簡素に構成される。そして、この突出ピン３３ｐによる移動阻止構造が、操作レバー５の操作前位置における操作方向への移動も阻止するよう構成が兼ねられていることにより、かかる構成全体を合理化して簡素に構成することができる。
【００６１】
以上、本発明の実施形態を１つの実施例について説明したが、本発明は上記実施例のほか各種の形態で実施できるものである。例えば、本発明の車両用シートの作動操作構造は、シート本体をフロア上で車両前後方向にスライドさせたり、シートバックの背凭れ角度を調整したりする作動操作を目的として構成されていてもよい。また、操作部材の操作は回転操作タイプのものでなくても良く、例えば直動操作タイプのものであってもよい。また、戻し阻止機構は、例えば図６に示されている連結軸ｂｐによるスライドアーム５ｂとスライド駒ｂａとのヒンジ連結部や、図５に示されている連結軸５ｄによる操作レバー５とシートバック２とのヒンジ連結部に設定されていてもよい。
【図面の簡単な説明】
【００６２】
【図１】実施例１の車両用シートの作動操作構造の概略を表した側面図である。
【図２】操作レバーの操作前状態を表した側面図である。
【図３】図２のIII-III線断面図である。
【図４】操作レバーの操作構造を背面側から見て表した構成図である。
【図５】操作レバーを後倒し操作した状態を表した側面図である。
【図６】操作レバーを後倒し操作した状態を表した斜視図である。
【図７】ストッパ構造の斜視図である。
【図８】ストッパ構造のストッパ状態を解除した状態を表した斜視図である。
【図９】切換機構の操作前状態を表した構成図である。
【図１０】操作レバーの操作によって切換機構が作動操作された状態を表した構成図である。
【図１１】フロアロック装置及び天井ロック装置のロック構造を表した構成図である。
【図１２】フロアロック装置及び天井ロック装置のロック状態を表した構成図である。
【図１３】シート本体を車体天井下に格納移動させた状態を表した構成図である。
【図１４】シート本体をフロア上に戻し込んだ状態を表した構成図である。
【符号の説明】
【００６３】
１      シート本体（操作部材の取り付けられている構造体）
２      シートバック
２ｆ    バックフレーム
２ｒ    スライドレール
２ｂ    ブラケット
２ｔ    ストッパ
３      シートクッション
４      ヘッドレスト
５      操作レバー（操作部材）
５ｃ    操作ケーブル
５ｄ    連結軸
５ａ    把持部
５ｈ    長孔
５ｂ    スライドアーム（操作部材の構成部材）
ｂａ    スライド駒
ｂｐ    連結軸
５ｔ    係止部
６      連結アーム
６ｄ    ダンパー
７      フロアロック装置
７ｃ    解除ケーブル
８      天井ロック装置
８ｃ    解除ケーブル
９      クッションロック装置
９ｃ    解除ケーブル
１０    ロック構造
１１    ベース板
１１ａ  受入口
１１ｂ  ストッパ
１２    ラッチ
１２ａ  上顎
１２ｂ  下顎
１２ｃ  掛部
１２ｄ  角部
１２ｅ  支軸
１３    ポール
１３ａ  操作腕
１３ｂ  爪部
１３ｃ  掛部
１３ｅ  支軸
１４    引張ばね
１５    解除ケーブル
１６    ストライカ
２０    切換機構
２１    ベース板
２１ａ  ストッパ
２２    第１アーム
２２ａ  支軸
２３    第２アーム
２３ａ  支軸
２３ｂ  係合ピン
３０    戻し阻止機構
３１    基板
３１ｇ  ガイド
３１ａ  起立板
３１ｐ  連結軸
３２    Ｌ字アーム
３２ｈ  長孔
３２ａ  連結軸
３３    従動アーム
３３ｐ  突出ピン
３３ａ  係合ピン
３４    引張ばね
３５    操作ワイヤ（解除部）
Ｆ      フロア
Ｃ      車体天井
Ｓ１    ストライカ
Ｓ２    ストライカ
Ｓ３    ストライカ
Ｐ      操作者
【図１】
2010006168.tif 000003
【図２】
2010006168.tif 000004
【図３】
2010006168.tif 000005
【図４】
2010006168.tif 000006
【図５】
2010006168.tif 000007
【図６】
2010006168.tif 000008
【図７】
2010006168.tif 000009
【図８】
2010006168.tif 000010
【図９】
2010006168.tif 000011
【図１０】
2010006168.tif 000012
【図１１】
2010006168.tif 000013
【図１２】
2010006168.tif 000014
【図１３】
2010006168.tif 000015
【図１４】
2010006168.tif 000016